【手続補正書】
【提出日】平成28年3月4日(2016.3.4)
【手続補正１】
【補正対象書類名】明細書
【補正対象項目名】発明の名称
【補正方法】変更
【補正の内容】
【発明の名称】撮影装置、その制御方法及びプログラム
【手続補正２】
【補正対象書類名】明細書
【補正対象項目名】０００１
【補正方法】変更
【補正の内容】
【０００１】
本発明は、撮影装置を用いた画像の撮影方法に関連し、特に、撮像装置から光や音を発することで、被写体を撮影装置に注目させる撮影装置、その制御方法及びプログラムに関する。
【手続補正３】
【補正対象書類名】明細書
【補正対象項目名】００１２
【補正方法】変更
【補正の内容】
【００１２】
本発明は、撮影装置で被写体の種類を認識し、複数の種類の被写体を認識した場合に、種類に応じて適切な振り向き音を再生して、複数の被写体の撮影を容易にする仕組みを提供することを目的とする。
【手続補正４】
【補正対象書類名】明細書
【補正対象項目名】００１３
【補正方法】変更
【補正の内容】
【００１３】
本発明の撮影装置は、被写体への注意喚起をする振り向き音を記憶する振り向き音記憶手段を備える撮影装置であって、前記振り向き音記憶手段に記憶されている前記振り向き音を、いずれの被写体の種類に対応する振り向き音として設定するかの選択を受け付ける選択受付手段と、前記振り向き音記憶手段に記憶されている振り向き音を、前記選択受付手段により選択を受け付けた種類の被写体に対する振り向き音として設定する振り向き音設定手段と、撮影する画像の被写体を認識する被写体認識手段と、前記被写体認識手段で認識した被写体が複数種類ある場合に、前記被写体認識手段で認識した数が多い被写体の種類に対応付けて前記振り向き音設定手段で設定されている振り向き音を再生する再生手段と、前記被写体の画像の撮影を実行する撮影実行手段と、を備えることを特徴とする。
また、前記被写体認識手段で複数種類の被写体を認識した場合に、前記設定手段で設定された振り向き音のうち、前記被写体認識手段で認識した数が多い被写体の種類に対する振り向き音を優先して再生する優先設定をする優先設定手段と、を備え、前記再生手段は、前記優先設定手段で前記複数種類の被写体を認識した場合における振り向き音の優先設定がされている場合であって、前記被写体認識手段で認識した被写体が複数種類ある場合に、前記優先設定手段で設定された前記優先設定に従って、前記被写体認識手段で認識した数が多い被写体の種類に対応付けて前記振り向き音設定手段で設定されている振り向き音を再生することを特徴とする。
また、本発明の撮影装置は、被写体への注意喚起をする振り向き音を記憶する振り向き音記憶手段を備える撮影装置であって、前記振り向き音記憶手段に記憶されている前記振り向き音を、いずれの被写体の種類に対応する振り向き音として設定するかの選択を受け付ける選択受付手段と、前記振り向き音記憶手段に記憶されている振り向き音を、前記選択受付手段により選択を受け付けた種類の被写体に対する振り向き音として設定する振り向き音設定手段と、撮影する画像の被写体を認識する被写体認識手段と、前記被写体認識手段で認識した被写体が複数種類ある場合に、前記振り向き音設定手段で設定されている前記複数種類の前記被写体に対する振り向き音を同時に再生する再生手段と、前記被写体の画像の撮影を実行する撮影実行手段と、を備えることを特徴とする。
また、撮影シーンの設定が、被写体の種類により撮影するシーンに設定されているか判定するシーン判定手段と、を備え、前記再生手段は、前記シーン判定手段で前記撮影シーンの設定が被写体の種類により撮影するシーンに設定されていると判定された場合に、前記振り向き音設定手段で、前記被写体認識手段で認識された被写体の種類に対応付けて設定されている振り向き音を再生することを特徴とする。
【手続補正５】
【補正対象書類名】明細書
【補正対象項目名】００１４
【補正方法】変更
【補正の内容】
【００１４】
本発明によれば、撮影装置で被写体の種類を認識し、複数の種類の被写体を認識した場合に、種類に応じて適切な振り向き音を再生して、複数の被写体の撮影を容易にする仕組みを提供することが可能となる。
【手続補正６】
【補正対象書類名】特許請求の範囲
【補正対象項目名】全文
【補正方法】変更
【補正の内容】
【特許請求の範囲】
【請求項１】
被写体への注意喚起をする振り向き音を記憶する振り向き音記憶手段を備える撮影装置であって、
前記振り向き音記憶手段に記憶されている前記振り向き音を、いずれの被写体の種類に対応する振り向き音として設定するかの選択を受け付ける選択受付手段と、
前記振り向き音記憶手段に記憶されている振り向き音を、前記選択受付手段により選択を受け付けた種類の被写体に対する振り向き音として設定する振り向き音設定手段と、
撮影する画像の被写体を認識する被写体認識手段と、
前記被写体認識手段で認識した被写体が複数種類ある場合に、前記被写体認識手段で認識した数が多い被写体の種類に対応付けて前記振り向き音設定手段で設定されている振り向き音を再生する再生手段と、
前記被写体の画像の撮影を実行する撮影実行手段と、
を備えることを特徴とする撮影装置。
【請求項２】
前記被写体認識手段で複数種類の被写体を認識した場合に、前記設定手段で設定された振り向き音のうち、前記被写体認識手段で認識した数が多い被写体の種類に対する振り向き音を優先して再生する優先設定をする優先設定手段と、
を備え、
前記再生手段は、前記優先設定手段で前記複数種類の被写体を認識した場合における振り向き音の優先設定がされている場合であって、前記被写体認識手段で認識した被写体が複数種類ある場合に、前記優先設定手段で設定された前記優先設定に従って、前記被写体認識手段で認識した数が多い被写体の種類に対応付けて前記振り向き音設定手段で設定されている振り向き音を再生することを特徴とする請求項１に記載の撮像装置。
【請求項３】
被写体への注意喚起をする振り向き音を記憶する振り向き音記憶手段を備える撮影装置であって、
前記振り向き音記憶手段に記憶されている前記振り向き音を、いずれの被写体の種類に対応する振り向き音として設定するかの選択を受け付ける選択受付手段と、
前記振り向き音記憶手段に記憶されている振り向き音を、前記選択受付手段により選択を受け付けた種類の被写体に対する振り向き音として設定する振り向き音設定手段と、
撮影する画像の被写体を認識する被写体認識手段と、
前記被写体認識手段で認識した被写体が複数種類ある場合に、前記振り向き音設定手段で設定されている前記複数種類の前記被写体に対する振り向き音を同時に再生する再生手段と、
前記被写体の画像の撮影を実行する撮影実行手段と、
を備えることを特徴とする撮影装置。
【請求項４】
撮影シーンの設定が、被写体の種類により撮影するシーンに設定されているか判定するシーン判定手段と、
を備え、
前記再生手段は、前記シーン判定手段で前記撮影シーンの設定が被写体の種類により撮影するシーンに設定されていると判定された場合に、前記振り向き音設定手段で、前記被写体認識手段で認識された被写体の種類に対応付けて設定されている振り向き音を再生することを特徴とする請求項１又は２のいずれか１項、又は請求項３に記載の撮影装置。
【請求項５】
被写体の画像を撮影する撮影手段と、被写体への注意喚起をする振り向き音を記憶する振り向き音記憶手段とを備える撮像装置の制御方法であって、
前記振り向き音記憶手段に記憶されている前記振り向き音を、いずれの被写体の種類に対応する振り向き音として設定するかの選択を受け付ける選択受付ステップと、
前記振り向き音記憶手段に記憶されている振り向き音を、前記選択受付ステップにより選択を受け付けた種類の被写体に対する振り向き音として設定する振り向き音設定ステップと、
撮影する画像の被写体を認識する被写体認識ステップと、
前記被写体認識ステップで認識した被写体が複数種類ある場合に、前記被写体認識ステップで認識した数が多い被写体の種類に対応付けて前記振り向き音設定ステップで設定されている振り向き音を再生する再生ステップと、
を含むことを特徴とする撮像装置の制御方法。
【請求項６】
被写体の画像を撮影する撮影手段と、被写体への注意喚起をする振り向き音を記憶する振り向き音記憶手段とを備える撮像装置を制御するプログラムであって、
前記撮像装置を、
前記振り向き音記憶手段に記憶されている前記振り向き音を、いずれの被写体の種類に対応する振り向き音として設定するかの選択を受け付ける選択受付手段と、
前記振り向き音記憶手段に記憶されている振り向き音を、前記選択受付手段により選択を受け付けた種類の被写体に対する振り向き音として設定する振り向き音設定手段と、
撮影する画像の被写体を認識する被写体認識手段と、
前記被写体認識手段で認識した被写体が複数種類ある場合に、前記被写体認識手段で認識した数が多い被写体の種類に対応付けて前記振り向き音設定手段で設定されている振り向き音を再生する再生手段として機能させることを特徴とするコンピュータで読み取り実行可能なプログラム。
【請求項７】
被写体への注意喚起をする振り向き音を記憶する振り向き音記憶手段と、被写体の画像の撮影を実行する撮影実行手段とを備える撮影装置の制御方法であって、
前記振り向き音記憶手段に記憶されている前記振り向き音を、いずれの被写体の種類に対応する振り向き音として設定するかの選択を受け付ける選択受付ステップと、
前記振り向き音記憶手段に記憶されている振り向き音を、前記選択受付ステップにより選択を受け付けた種類の被写体に対する振り向き音として設定する振り向き音設定ステップと、
撮影する画像の被写体を認識する被写体認識ステップと、
前記被写体認識ステップで認識した被写体が複数種類ある場合に、前記振り向き音設定ステップで設定されている前記複数種類の前記被写体に対する振り向き音を同時に再生する再生ステップと、
前記被写体の画像の撮影を実行する撮影実行ステップと、
を含むことを特徴とする撮影装置の制御方法。
【請求項８】
被写体への注意喚起をする振り向き音を記憶する振り向き音記憶手段と、被写体の画像の撮影を実行する撮影実行手段とを備える撮影装置を制御するプログラムであって、
前記撮影装置を、
前記振り向き音記憶手段に記憶されている前記振り向き音を、いずれの被写体の種類に対応する振り向き音として設定するかの選択を受け付ける選択受付手段と、
前記振り向き音記憶手段に記憶されている振り向き音を、前記選択受付手段により選択を受け付けた種類の被写体に対する振り向き音として設定する振り向き音設定手段と、
撮影する画像の被写体を認識する被写体認識手段と、
前記被写体認識手段で認識した被写体が複数種類ある場合に、前記振り向き音設定手段で設定されている前記複数種類の前記被写体に対する振り向き音を同時に再生する再生手段と、
前記被写体の画像の撮影を実行する撮影実行手段と、
を備えることを特徴とするコンピュータで読み取り実行可能なプログラム。